(57)【特許請求の範囲】
【請求項１】
サッシ枠と、アタッチメント枠と、アタッチメント枠に設けたパネル体とを備え、アタッチメント枠は四周枠組みしたものをサッシ枠の室外側面に取り付けてあり、アタッチメント上枠は、サッシ上枠の室外側上面に載置する載置片と、載置片の下方にサッシ上枠の室外側面に対向する室内側面とを長手方向に有し、載置片の下方で、アタッチメント上枠の室内側面をサッシ上枠の室外側面に接着してあることを特徴とする開口部装置。
【発明の詳細な説明】
【技術分野】
【０００１】
本発明は、躯体開口部に設ける開口部装置に関する。
【背景技術】
【０００２】
特許文献１には、サッシ上枠及び下枠に設けた網戸レールを一枚網戸が走行する引違いサッシ（開口部装置）が開示されている。
【先行技術文献】
【特許文献】
【０００３】
【特許文献１】特開平８−２６０８２１号公報
【発明の概要】
【発明が解決しようとする課題】
【０００４】
一方、サッシの室外側に、更に網戸や雨戸等のパネル体を取り付けることが求められていた。
【０００５】
そこで、本発明は、サッシの室外側にパネル体を取り付けできる開口部装置の提供を目的とする。
【課題を解決するための手段】
【０００６】
請求項１に記載の発明は、サッシ枠と、アタッチメント枠と、アタッチメント枠に設けたパネル体とを備え、アタッチメント枠は四周枠組みしたものをサッシ枠の室外側面に取り付けてあり、アタッチメント上枠は、サッシ上枠の室外側上面に載置する載置片と、載置片の下方にサッシ上枠の室外側面に対向する室内側面とを長手方向に有し、載置片の下方で、アタッチメント上枠の室内側面をサッシ上枠の室外側面に接着してあることを特徴とする開口部装置である。
【発明の効果】
【０００７】
請求項１に記載の発明によれば、サッシ枠にアタッチメント枠を取り付けることで、サッシの室外側にパネル体を取り付けできる。
アタッチメント上枠に突設した載置片をサッシ上枠の上面に載置して、載置片の下方で、アタッチメント上枠の室内側面とサッシ上枠の室外側面を接着してあり、ねじ止めしていないから、アタッチメント上枠とサッシ上枠との間に雨水が入り込むことがないので、水密処理が不要である。
【図面の簡単な説明】
【０００８】
【図１】第１実施の形態にかかる開口部装置において、内障子及び外障子と、内網戸及び外網戸とを一側に寄せた状態の縦断面図である。
【図２】第１本実施の形態にかかる開口部装置において、内障子及び外障子と、内網戸及び外網戸とを各々閉じ状態にした横断面図である。
【図３】アタッチメント下枠と縦枠との連結部を示す図であり、（ａ）は左側面図、（ｂ）は平面図である。
【図４】図３に示す端部キャップの図であり、（ａ）は左側面図、（ｂ）は底面図、（ｃ）は正面図、（ｄ）は右側面図である。
【図５】図２に示す開口部装置において、内障子及び外障子を共に一側に寄せ、内網戸及び外網戸を他側に寄せた状態を示す横断面図である。
【図６】図１に示す開口部装置において、アタッチメント枠を取り付ける前のサッシの縦断面図である。
【図７】図２に示す開口部装置において、アタッチメント枠を取り付ける前のサッシの横断面図である。
【図８】第２実施の形態にかかる開口部装置において、内障子及び外障子と、内網戸及び外網戸とを一側に寄せた状態の縦断面図である。
【図９】第２実施の形態にかかる開口部装置において、内障子及び外障子と、内網戸及び外網戸とを各々閉じ状態にした横断面図である。
【図１０】図９に示す開口部装置において、内障子及び外障子を共に一側に寄せ、内網戸及び外網戸を他側に寄せた状態を示す横断面図である。
【図１１】図８に示す開口部装置において、アタッチメント枠を取り付ける前のサッシの縦断面図である。
【図１２】図９に示す開口部装置において、アタッチメント枠を取り付ける前のサッシの横断面図である。
【発明を実施するための形態】
【０００９】
以下に、添付図面を参照して本発明の実施の形態を説明するが、まず、図１〜図７を参照して本発明の第１実施の形態を説明する。  
図１及び図２に示すように、第１実施の形態にかかる開口部装置１は、サッシ３と、アタッチメント枠５と、内網戸４と、外網戸（パネル体）６とを備えている。  
サッシ３はキッチンやリビング等に用いられる小窓タイプの引き違いサッシであり、サッシ枠７とサッシ枠７内を走行する内障子９及び外障子１１とを備えている。サッシ枠７は、サッシ上枠７ａ、サッシ下枠７ｂ、左右のサッシ縦枠７ｃを枠組みしてあり、サッシ下枠７ｂに設けてある内レール１３ａを内障子９が走行し、外レール１３ｂを外障子１１が走行する。  
サッシ枠７は躯体２に半外付けしてあり、サッシ枠７の室外側部は躯体壁面１４よりも室外側に突設して設けてある。また、サッシ上枠７ａ及びサッシ下枠７ｂには、ホロー形材を用いている。サッシ上枠７ａの上面１５は室外側を下にして傾斜した傾斜面としてある。  
サッシ上枠７ａにはその室外側端に網戸レール１７が形成してあり、サッシ下枠７ｂにはその室外側端に上方に突設した網戸レール１９が形成してある。図６に示すように、網戸レール１９はアタッチメント枠５を取り付けていないときに一枚網戸の網戸レールが走行するものである。尚、サッシ下枠７ｂの室外側面には排水弁２４が設けてある。  
図７に示すように、左右のサッシ縦枠７ｃには、各々網戸レール１７に対応する位置に内周側に向けて突設する係合突片２３が形成してあり、係合突片２３の位置には外周側に向けて突設する室外側見付け片１８が形成してある。  
【００１０】
図１及び図２に示すように、アタッチメント枠５は、アタッチメント上枠５ａ、アタッチメント下枠５ｂ及び左右のアタッチメント縦枠５ｃを枠組みしてあり、枠組みしたアタッチメント枠５をサッシ枠７の室外側面に取り付けてある。  
図１に示すように、アタッチメント上枠５ａ及びアタッチメント下枠５ｂは各々ホロー形材であり、各ホローの内部にタッピングホール２５が形成してある。  
アタッチメント上枠５ａは、サッシ上枠７ｃの上面１５に載置する載置片２７を有し、載置片２７はアタッチメント上枠５ａの上端から室内側に突設して形成してあると共にサッシ上枠の上面１５に沿った角度で傾斜してある。  
アタッチメント上枠５ａの室内側面２９は載置片２７の下方で、サッシ上枠７ａの室外側面２０に接着剤３３で接着固定してある。接着剤３３は、本実施の形態では両面テープである。  
アタッチメント上枠５ａの室外側端には下方に向けて突設した外網戸レール３５が形成してある。  
【００１１】
アタッチメント下枠５ｂは、室外側端に形成した外網戸レール３７と、外網戸レール３７の室内側でサッシ下枠７ｂの網戸レール１９に係合するレール係合部３９を有し、レール係合部３９には上方に突設した内網戸レール４１が設けてある。  
アタッチメント下枠５ｂの室内側には下方に突設した取付片４３が設けてあり、取付片４３はサッシ下枠７ｂの室外側面２０に当接してネジ４５で固定してある。ネジ４５はサッシ下枠７ｂに設けた排水弁２４より上方で止めてある。  
図２に示すように、アタッチメント縦枠５ｃは室内側端にサッシ縦枠７ｃの室外側見付け片１８（図７参照）に取り付ける取付片４７が形成してあり、取付片４７はサッシ縦枠７ｃの室外側見付け片１８に室外側から重ねる見付け部４７ａと見付け部４７ａの外周側端部で室内側に突設した見込み部４７ｂとが形成してあり、見付け部４７ａと見付け部４７ｂとで略Ｌ字を成している。  
図３に示すように、アタッチメント下枠５ｂとアタッチメント縦枠５ｃとの組み付けは、アタッチメント下枠５ｂの左右端に各々アタッチメント縦枠５ｃを当てて、端部キャップ５１と共に固定してある。  
図４に示すように、端部キャップ５１にはアタッチメント縦枠５ｃの下端部が嵌合する嵌合凹部５１ａとネジ孔５１ｂが形成してあり、端部キャップ５１はネジ孔５１ｂに挿通するネジ５３（図２参照）でアタッチメント下枠５ｂのタッピングホール２５にアタッチメント縦枠５ｃを挟んで固定してある。  
【００１２】
図１に示すように、内網戸４はサッシ上枠７ａの網戸レール１７とアタッチメント下枠５ｂの内網戸レール４１とを走行するように設けてあり、外網戸６はアタッチメント上枠５ａの外網戸レール３５と、アタッチメント下枠５ｂの外網戸レール３７を走行するように設けてある。  
外網戸６は、図６及び図７に示すように、アタッチメント枠５を取り付けていないサッシ３を単独で用いるときの一枚網戸を使用しており、図１に示すように、内網戸４は、その上下寸法が、外網戸６よりもアタッチメント下枠５ｂの内網戸レール４１の突出寸法分Ｔだけ小さい網戸を用いている。尚、内網戸４はアタッチメント枠５を取り付けたときに新規に取り付けた網戸であり、図２に示すように、内網戸４の縦框の見込み寸法Ｓ２は、外網戸６の縦框の見込み寸法Ｓ１よりも大きいものを使用している。この内網戸４の縦框は、後述するテラスタイプ用サッシに用いる大型の網戸で使用する縦框と同じ見込み寸法としている。  
【００１３】
内網戸４及び外網戸６の各網材は、本実施の形態では、一般網材が用いられている。一般網材としては、例えば、ポリプロピレンにポリ塩化ビニル（ＰＶＣ）をコーティングした網材である。  
本実施の形態では、内網戸４及び外網戸６の網は、下記（ア）〜（エ）の種類の網材を選択可能としている。（ア）マジックミラー機能網材、（イ）高強度網材、（ウ）一般網材、（エ）一般網材よりも網目の細かい防虫性とプライバシー性を向上させた快適ネットである。  
（ア）マジックミラー機能網材とは、屋外からの光を乱反射させて屋内側への視線を遮ると共に屋内からの眺望を妨げない網材である。マジックミラー機能網材は、例えば黒色ベースのポリエステル系網材の室外側にステンレス加工を施したものであり、室外側からの光を乱反射するものである。  
網材としてこのようなマジックミラー機能網材を用いた場合には、図２に示すように、内網戸４及び外網戸６を閉じた状態で、通風と防虫を図ると共に外から室内が見え難くしているので室内のプライバシーを保護できる。一方、図５に示すように、外網戸６と内網戸４を重ねて一方に寄せ、他方に内障子９と外障子１１を重ねることで、障子９、１１のガラスを通じて外から室内を見ることができるから、例えば、屋外で作業をしている両親が室内の幼児の様子を伺うことができる。  
（イ）高強度網材は、ペットの爪にも耐える高強度の網材であり、例えば、ステンレス製の網材がある。  
網材に（ア）〜（ウ）の網材を用いる場合には、例えば、内網戸４及び外網戸６を中桟で上下に仕切り、上部に一般網材を設置し、下部にマジックミラー機能網材を設置しても良い。  
この場合、室内で休んでいる居住者のプライバシーを保護しつつ、屋外で作業して大人が窓際まで近接して、室内の子供の様子を窺うことができるから、育児中の親等にとって利便性が良い。  
また、内網戸４及び外網戸６の上部は一般網材を用い、下部にのみペットの爪にも耐える高強度網材を用いても良い。網戸４、６で開口全体を覆うことで、自然通風を取り入れながら、ペットの出入りを規制できる。また、上部は安価な一般網材を使用するため、安価にペットの安全を確保できる。  
【００１４】
次に、本実施の形態にかかる開口部装置１の施工について説明する。  
図６及び図７に示す網戸付きサッシ３にアタッチメント枠５を取り付けて施工するが、施工前に網戸付きサッシ３の一枚網戸６を外す。  
次に、アタッチメント枠５を組み立てる。アタッチメント枠５の組み立ては、アタッチメント上枠５ａ、アタッチメント下枠５ｂの各左右端面にアタッチメント縦枠５ｃ、５ｃを当て、アタッチメント下枠５ｂ及び上枠５ａのタッピングホール２５にネジ５３で止めるが、アタッチメント下枠５ｂではアタッチメント縦枠５ｃの外周側に端部キャップ５１を取り付けてネジ５３で共締めして固定する。  
次に、アタッチメント枠５をサッシ枠７に取り付ける。アタッチメント枠５の取り付けは、図１に示すように、アタッチメント枠５の上枠５ａの室内側面２９とサッシ上枠７ａの室外側面２０の間に接着剤３３を介在して、アタッチメント上枠５ａの載置片２７をサッシ上枠の上面に載置して、アタッチメント下枠５ｂの取付片４３をサッシ下枠７ｂの室外側面に当ててネジ４５で固定する。  
一方、図２に示すように、左右のアタッチメント縦枠５ｃは、サッシ縦枠７ｃの室外側見付け片１８（図７参照）に取付片４７を室外側から当てて室外側から止めるネジ５０で固定する。  
このように、サッシ枠７にアタッチメント枠５を取り付けた後、サッシ上枠７ａの網戸レール１７とアタッチメント下枠５ｂの内網戸レール４１の間に新規の内網戸４を取り付ける。アタッチメント上枠５ａの外網戸レール３５とアタッチメント下枠５ｂの外網戸レール３７との間に外網戸６を取り付ける。この外網戸６は、図６及び図７に示すように、アタッチメント枠５を取り付ける前のサッシ３に用いていた一枚網戸である。  
【００１５】
次に、第１実施の形態にかかる開口部装置１の作用効果について説明する。  
第１実施の形態にかかる開口部装置１によれば、サッシ上枠７ａの網戸レール１７とアタッチメント下枠５ｂの内網戸レール４１を走行する内網戸と、アタッチメント上枠５ａの外網戸レール３５とアタッチメント下枠５ｂの外網戸レール３７を走行する外網戸６を設けているので、内網戸４と外網戸６で網戸を引き違い状に設けることができる。  
四周枠組みしたアタッチメント枠５をサッシ枠７に取り付けるので、コンパクトな施工ができる。また、アタッチメント上枠５ａの外網戸レール３５とアタッチメント下枠５ｂに設けた外網戸レール３７の見込み位置が上下でずれるおそれがない。  
【００１６】
アタッチメント下枠５ｂの内網戸レール４１は、サッシ下枠７ｂの網戸レール１９の上に載置してあるから、内網戸４が走行するサッシ上枠７ａの網戸レール１７とアタッチメント下枠７ｂの内網戸レール４１の見込み方向のずれを防止でき、内網戸４が、がたつくことなく走行できる。また、内網戸４のがたつきがないから、内網戸４と外網戸６との間に隙間が生じて虫が侵入するのを防止できる。更に、人が内網戸レール４１の上に乗って荷重をかけた場合でも、サッシ下枠７ｂで受けることができるのでアタッチメント下枠５ｂが脱落するのを防止できる。  
アタッチメント下枠７ｂの内網戸レール４１がサッシ下枠７ｂの網戸レール１９にレール係合部３９を介して係合してあるから、アタッチメント枠５の取り付け強度を向上できる。  
【００１７】
内網戸４と外網戸６を引き違い状にして閉じ、内障子９と外障子１１の戸先框をそれぞれ縦枠７ｃから離れるように開いた状態にすることで、サッシ枠７内の全面を網戸４、６で覆いつつ離間した左右の開口から空気の流入と流出を図り、換気効率を高めることができる。  
アタッチメント枠５はサッシ枠７に取り付けるものであるから、躯体２に施工後の既設サッシ枠７にも後付けできる。  
図１及び図２に示すように、アタッチメント枠５は、サッシ枠７の室外側面２０に当接させて固定しているから、サッシ枠７内で走行する内網戸４とアタッチメント枠５内で走行する外網戸６とにおける見込み方向の相対的間隔を適切にでき、内網戸４と外網戸６との間に隙間が生じたり干渉するのを防止でき、内網戸４と外網戸６の開閉性能を安定して維持できる。  
アタッチメント枠５は、サッシ下枠７ｂの網戸レール１９に上から係合するレール係合部３９を有すると共に取付片４３を有し、取付片４３をサッシ下枠７ｂの室外側面２０にネジ４５で固定することで、上下に間隔をあけた２箇所で固定することになるので、強固に取り付けできる。  
【００１８】
アタッチメント下枠５ｂの取付片４３は、サッシ下枠７ｂのホローの室外側面２０に設置した排水弁２４の上方でネジ４５で固定しているので、排水弁２４の排水機能が阻害されるのを防止できる。しかも、ネジ４５のネジ孔から浸入した雨水はそのまま排水弁２４を介して排水できる。  
アタッチメント下枠５ｂは取付片４３をサッシ下枠７ｂの室外側面２０に当接しているので、外網戸レール３７が受けた荷重モーメントをサッシ下枠７ｂの室外側面２０で受けるから、アタッチメント下枠５ｂの転びを確実に防止できる。また、アタッチメント下枠５ｂの外網戸レール３７に荷重がかかった場合に、サッシ下枠７ｂの室外側面２０で荷重を受けることができ、アタッチメント下枠５ｂの位置ずれや脱落を防止できる。  
図３に示すように、アタッチメント上枠５ａとアッタッチメント下枠５ｂに設けたタッピングホール２５にアタッチメント縦枠５ｃを当てると共に端部キャップ５１をアタッチメント縦枠５ｃの下端部外周面に当てて端部キャップ５１をネジ５３で共締め固定してあるから、アタッチメント縦枠５ｃに端部キャップ５１用の加工孔を省略することで、製造コストを抑えることができる。  
図２に示すように、アタッチメント縦枠５ｃは、外周側に突設する取付片４７を有し、この取付片４７をサッシ縦枠７ｃの外周側に突設した室外側見付け片１８（図７参照）に室外側から重ねてネジ５０で固定しているので、ネジ５０の先端がサッシ枠７の内周側に露見することを防止でき、意匠性が良い。また、アタッチメント縦枠７ｃのネジ５０の固定孔からサッシ枠７の内周に漏水するのを防止できる。  
アタッチメント縦枠５ｃには、枠の内周側に突出した係合突片２３を形成してあるから、この係合突片２３を外網戸６の閉鎖時における戸先框係合部にできる。  
【００１９】
アタッチメント上枠５ａに突設した載置片２７をサッシ上枠７ａの上面１５に載置して、載置片２７の下方で、アタッチメント上枠５ａの室内側面２９とサッシ上枠７ａの室外側面を接着剤３３で接着してあり、ネジ止めしていないから、アタッチメント上枠５ａとサッシ上枠５ａとの間に雨水が入り込むことがないので、水密処理が不要である。また、アタッチメント上枠５ａはサッシ上枠７ａに載置する載置片２７を備えているので、アタッチメント上枠５ａが屋根から落雪等の荷重を受けても、サッシ上枠７ａで支持してアタッチメント上枠５ａが下方にずれるのを防止できる。  
アタッチメント上枠５ａの室内側面２９をサッシ上枠７ａの室外側面２０に当接して接着するから、アタッチメント上枠５ａの外網戸レール３５とサッシ上枠７ａの網戸レール１７の見込み間隔の位置決めが簡単に且つ確実にできる。  
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図８〜図１２に、本発明の第２実施の形態にかかる開口部装置１を示す。この第２実施の形態にかかる開口部装置１は、サッシ３がテラスタイプ用サッシであり、サッシ枠７、内障子９、外障子１１及び一枚網戸６に、第１実施の形態にかかる小窓タイプ用サッシのものよりも大きな寸法のものを用いている。また、図１２に示すように、第２実施の形態のサッシ３に使用されている一枚網戸６は、図６に示す小窓タイプのサッシ３に使用されている一枚網戸６よりも見込み寸法Ｓ１が大きい縦框を用いており、且つ図２に示す新規に装着した内網戸４の縦框の見込み寸法Ｓ２と同じ寸法としてある。また、第２実施の形態では、外網戸（パネル体）６の縦框の見込み寸法Ｓ１と内網戸４の縦框の見込み寸法Ｓ２も同じ寸法としてある。  
この第２実施の形態では、内網戸４の縦框の見込み寸法Ｓ２と外網戸６の縦框の見込み寸法Ｓ１を同じ寸法としているので、内網戸４と外網戸６で同種の縦框を使用できるから、縦框材を兼用でき網戸の製造コストを安価にできる。  
更に、第２実施の形態の内網戸４の縦框の見込み寸法Ｓ２と第１実施の形態の内網戸４の縦框の見込み寸法Ｓ２とを同じ見込み寸法とすることで、第１実施の形態のサッシ枠７と第２実施の形態のサッシ枠７でタイプが異なる為に外網戸（一枚網戸）６の縦框の見込み寸法が異なる場合でも、アタッチメント枠５の上枠５ａ、下枠５ｂ、縦枠５ｃに同種のものを長さを変えて使用できるから、第１実施の形態及び第２実施の形態において、アタッチメント枠５の枠材を兼用でき製造コストを安価にできる。  
【００２１】
本発明は、上述した実施の形態に限らず、本発明の要旨を逸脱しない範囲で種々変形可能である。  
例えば、アタッチメント枠５に設けるパネル体は、外網戸６の他に、雨戸やルーバ（可動式又は固定式）、外付けブラインド等であっても良い。  
サッシ３は、２本引き２枚建の引き違いサッシに限らず、２本引３枚建や、３本引き３枚建の引き違いサッシや、引き分けサッシや、内開きサッシ等であっても良く、サッシの種類は限定されない。  
接着剤３３は、両面テープに限らず、アタッチメント上枠５ａの室内側面とサッシ上枠の室外側面との間に塗布するものであっても良い。  
アタッチメント枠５は既設サッシ３に後付けすることに限らず、サッシ３の新設時にアタッチメント枠５を取り付けるものであっても良い。  
【符号の説明】
【００２２】
１    開口部装置
５    アタッチメント枠
５ａ  アタッチメント上枠
６    外網戸（パネル体）
７    サッシ枠
７ａ  サッシ上枠
１５  上面
２０  室外側面
２７  載置片
２９  室内側面
３３  接着剤
【図１】
0006472720.tif 000002
【図２】
0006472720.tif 000003
【図３】
0006472720.tif 000004
【図４】
0006472720.tif 000005
【図５】
0006472720.tif 000006
【図６】
0006472720.tif 000007
【図７】
0006472720.tif 000008
【図８】
0006472720.tif 000009
【図９】
0006472720.tif 000010
【図１０】
0006472720.tif 000011
【図１１】
0006472720.tif 000012
【図１２】
0006472720.tif 000013